(57)【特許請求の範囲】
【請求項１】
複数個の貫通穴が形成されている一定厚さのボードと、
貫通穴に差し通すことのできる複数本のネジと、
ネジに螺合可能な複数個のナットと、
複数枚のワッシャとを有し、
貫通穴は一定のピッチで格子状に配列されており、
貫通穴のピッチは１５mm以下であり、
貫通穴に差し通した状態でのネジの脚部の突出長さが貫通穴のピッチの１．５倍以上であり、
ボードの一方の側から貫通穴にネジを差し通し、ボードの他方の側から当該ネジの脚部にワッシャおよびナットをこの順序で装着して、当該ネジをボードに締め付ける作業を繰り返し行わせ、一定時間内でのネジの締め付け本数および、締め付けたネジの配列パターンに基づき、手先の器用さ、性格などを診断するために用いることを特徴とする適性検査キット。
【請求項２】
請求項１において、
貫通穴のピッチが１０mmであり、
ネジの脚部の突出長さが１５mmであることを特徴とする適性検査キット。
【請求項３】
請求項１または２において、
適性診断表が印刷されたシートを有しており、
この適性診断表には、一定時間内でのネジの締め付け本数に基づき分類した手先の器用さの程度を表すランクと、締め付けたネジの配列パターンに基づく性格分類とが表示されていることを特徴とする適性検査キット。
【発明の詳細な説明】
【技術分野】
【０００１】
本発明は、ネジの締め付け作業を行わせることにより手先の器用さ、性格などの診断を行う適正検査キットに関するものである。
【背景技術】
【０００２】
従来から性格診断、適性検査などを行うための各種の装置、器具が知られている。例えば、電子機器を用いて性格診断を行う装置が特許文献１、２に開示されている。また、運転適性検査を行うための装置が特許文献３に開示されている。さらに、進路適性を検査するための方法およびシステムが特許文献４、５に開示されている。
【特許文献１】特開平８−８４８４９号公報
【特許文献２】特開平７−１９４５８２号公報
【特許文献３】実開平２−５１５１０号公報
【特許文献４】特開平８−１０１６３６号公報
【特許文献５】特開平５−３０７３５２号公報
【発明の開示】
【発明が解決しようとする課題】
【０００３】
本発明の課題は、時間、場所を問わず、また、特殊な器具を用いることなく行うことのできるネジの締め付け作業により、手先の器用さ、および性格などを診断できる適性検査キットを提案することにある。
【課題を解決するための手段】
【０００４】
上記の課題を解決するために、本発明の適性検査キットは、
複数個の貫通穴が形成されている一定厚さのボードと、
貫通穴に差し通すことのできる複数本のネジと、
ネジに螺合可能な複数個のナットと、
複数枚のワッシャとを有し、
貫通穴は一定のピッチで格子状に配列されており、
貫通穴のピッチは１５mm以下であり、
貫通穴に差し通した状態でのネジの脚部の突出長さが貫通穴のピッチの１．５倍以上であり、
ボードの一方の側から貫通穴にネジを差し通し、ボードの他方の側から当該ネジの脚部にワッシャおよびナットをこの順序で装着して、当該ネジをボードに締め付ける作業を繰り返し行わせ、一定時間内でのネジの締め付け本数および、締め付けたネジの配列パターンに基づき、手先の器用さ、性格などを診断するために用いることを特徴としている。
【０００５】
ボードに開けた貫通穴のピッチは１５mm以下とされており、成人の一般的なサイズの指先を入れることができる程度の幅である。ネジの脚部の突出量はピッチの１．５倍以上としてあり、隣接する貫通穴にネジを取り付けた場合に、それらのネジ脚部の間に指先を入れてナットをネジ脚部の根元まで締め付けることが簡単に出来ないようにしてある。
【０００６】
したがって、手先の器用さによって、一定時間内において締め付けたネジの本数に差がでる。また、多数の貫通穴に対して順番にネジを締め付けていくと、一つの列と次の列の間のピッチが狭いのでネジの締め付け作業に手間が掛かる。このような状況が発生すると、性格の相違により、締め付けたネジの配列パターンが異なるものとなる。
【０００７】
例えば、性格が几帳面な人の場合には、締め付け作業が困難であるにも拘わらず、貫通穴を飛ばすことなく、順番にネジが締め付けられたパターンになる傾向が見られる。几帳面さに欠ける人の場合にはランダムなパターンになる傾向が見られる。また、発想が自由な人の場合には、例えば締め付け作業が容易にできるように、一つ置きに貫通穴にネジを締め付けたパターンになる傾向が見られる。したがって、本発明の適性検査キットを用いれば、簡単に、手先の器用さと共に性格などを知ることができる。
【０００８】
ここで、典型的な構成は、貫通穴のピッチが約１０mmであり、ネジの脚部の突出長さが約１５mmである。
【０００９】
また、適性検査キットに適性診断表が印刷されたシートを含め、この適性診断表に、一定時間内でのネジの締め付け本数に基づき分類した手先の器用さの程度を表すランクと、締め付けたネジの配列パターンに基づく性格分類とを表示しておくことができる。適性検査キットを用いて検査を行った人が適性診断表から自分の手先の器用さ、性格などについての概略の基準を知ることができるので便利である。
【発明の効果】
【００１０】
本発明の適性検査キットを用いれば、ネジ締め付け作業という簡単で一般的な作業を行うことにより、手先の器用さと共に性格などを知ることができる。また、電子機器などを用いる必要がないので、時間、場所を問わず、簡単に行うことができる。
【発明を実施するための最良の形態】
【００１１】
以下に、図面を参照して本発明を適用した適性検査キットの一例を説明する。
【００１２】
図１は本例の適性検査キットの構成部品を示す説明図である。本例の適性検査キット１は、長方形のボード２と、複数本のネジ３と、複数枚のワッシャ４と、複数個のナット５と、適性診断表が印刷されている適性診断シート６から構成されている。
【００１３】
図２はボード２を示す平面図、右側面図、正面図、ｄ−ｄ線で切断した部分の断面図、および裏面図である。左側面図は右側面図と同様であるので省略してある。図３はボード２にネジ３を締め付けた状態を示す部分斜視図および部分断面図である。
【００１４】
ボード２は塩化ビニル樹脂製の白色の板であり、３００mm×２００mmの大きさであり、厚さが３mmである。このボード２には同一寸法の多数個の円形の貫通穴２１が形成されている。貫通穴２１は、ボード２の中心を中心として１１行１１列の格子状に配列されている。行方向および列方向の貫通穴２１のピッチｐは同一であり、本例では１０mmとされている。また、中心の行では、両側にそれぞれ６個の貫通穴２１が同一ピッチｐで配列されている。中心の列においても、一方の側に３個、他方の側に２個の貫通穴２１が同一ピッチｐで配列されている。さらに、四隅からは対角線方向に同一のピッチで３個および２個の貫通穴２１がそれぞれ配列されている。したがって、本例では合計１４８個の貫通穴２１が形成されている。
【００１５】
ネジ３は例えばナベコネジ(Ｍ３×１６mm)であり、貫通穴２１よりも多い本数分用意されている。ワッシャ４はＭ３平ワッシャであり、ナット５もＭ３ナットであり、それぞれネジ３と同一の枚数および個数分用意されている。
【００１６】
適性診断シート６はプラスチック製、紙製の薄いシートの表面に適性診断表６１が印刷されている。適性診断表６１には、手先の器用さを表すランク表６２と、性格分類表６３が含まれている。ランク表６２には、ネジ締め付け本数の区分に対応してランクＡ〜Ｄが付与されている。性格分類表６３には、例えば６種類のネジ締め付けの典型的な配列パターン６３ａと、各配列パターン６３ａに付与された性格分析欄６３ｂとが含まれている。
【００１７】
次に、本例の性格診断キット１を用いた適性検査の手順を説明する。ネジ３の締め付け手順としては、ネジ３をボード２の一方の面から貫通穴２１に通し、ボード２の反対側から突出したネジ脚部３１に、ワッシャ４およびナット５の順に組み付け、締め付ける。ボード２の表裏は自由とするが、必ず、一方の側からネジ３を装着するものとする。また、貫通穴２１のネジ締め付け順は自由とする。ネジ回しの使用、不使用も自由とする。検査時間としては例えば２０分間とし、例えば５分毎に経過時間を被検者に知らせる。ネジ締め付け良否の判定基準としては、ネジ３がぐらつかない場合を良とする。
【００１８】
かかる手順による検査結果の一例を以下に示す。６３人に検査を受けさせたところ、ネジ締め本数の最高値は８０本であり、平均値は５５．１本であり、最低値は１７本であった。また、図４にはネジ締め付けの配列パターンの４例を示してある。配列パターンとしては、端から順序良く並べられたもの(図４(ａ))、一つ置きに並べられたもの(図４(ｂ))、外側から並べられたもの(図４(ｃ))、内側から並べられたもの(図４(ｄ))などが代表的なパターンであった。
【００１９】
ここで、貫通穴２１のピッチｐを１５mm以下にしておくことが望ましい。また、貫通穴２１に差し通した状態でのネジ３の脚部３１の突出長さｈをピッチＰの１．５倍以上としておくことが望ましい。
【産業上の利用可能性】
【００２０】
本発明の適性検査キットは、手先の器用さ、性格などの診断に用いることができる他、ゲーム、競技としても用いることができる。
【図面の簡単な説明】
【００２１】
【図１】本発明を適用した適性検査キットの説明図である。
【図２】適性検査キットのボードを示す平面図、右側面図、正面図、断面図および裏面図である。
【図３】適性検査キットのボードにネジを締め付けた状態を示す部分斜視図および部分断面図である。
【図４】締め付けられたネジの配列パターン例を示す説明図である。
【符号の説明】
【００２２】
１    適性検査キット
２    ボード
２１  貫通穴
３    ネジ
３１  ネジ脚部
４    ワッシャ
５    ナット
６    適性診断シート
６１  適性診断表
６２  ランク表
６３  性格分類表
【図１】
0004832148.tif 000002
【図２】
0004832148.tif 000003
【図３】
0004832148.tif 000004
【図４】
0004832148.tif 000005